(57)【要約】【課題】比較的サラサラした雪質でもオーガから送られてくる雪を収束させ、ブロアを高速回転させても雪が飛散しないよう投雪性能を向上させた除雪機を提供する。【解決手段】機体前部にオーガを備えたオーガハウジングと、オーガ後方に基板と複数の羽根から形成されたブロアがブロアハウジング内に配置され、このブロアハウジングの一側部より上方に向け投雪シュートを備え、前記オーガより掻き集められた雪をブロアの回転により投雪シュートを介して投雪する除雪機において、ブロアに備えた羽根を回転方向に対し後退角を有するとともに基部から外方に向け円弧状の凹部を具備する。【選択図】      図２
2004238870.tif 000002
【特許請求の範囲】
【請求項１】
機体前部にオーガを備えたオーガハウジングと、オーガ後方に基板と複数の羽根から形成されたブロアがブロアハウジング内に配置され、このブロアハウジングの一側部より上方に向け投雪シュートを備え、前記オーガより掻き集められた雪をブロアの回転により投雪シュートを介して投雪する除雪機において、ブロアに備えた羽根を回転方向に対し後退角を有するとともに基部から外方に向け円弧状の凹部を具備したことを特徴とした除雪機のブロア。
【発明の詳細な説明】
【０００１】
【発明の属する技術分野】
本発明は、除雪機のブロアに関する構成で詳しくは投雪性能を向上させるための改良に係る。
【０００２】
【従来の技術】
除雪機のブロアに関する従来技術として、ボスの周囲に断面が凹字状のブレードを適当個数回転方向の前方に向かって凹字状を配して固定し、ブレードの底面には、ブレードの先端部とボスの中心を結ぶ半径方向の中心線に対して適当角度だけ遅れた傾斜を付与した除雪機のブロアは公知である。（特許文献１）
【０００３】
【特許文献１】
実公昭５１−１２２０３号公報
【０００４】
【発明が解決とようとする課題】
上記従来技術によれば、半径方向の中心線に対して適当角度だけ遅れた傾斜を付与した一直線状のブレードが、オーガから送られてくる雪に遠心力を与え収束させ、且つ、ブレードから離脱し易いよう構成されているが、比較的サラサラした雪質の場合には、雪が収束しにくくブロアの回転速度を増加させていくとバラバラに飛散し投雪距離が確保されないという問題点がある。
【０００５】
そこで本発明は、比較的サラサラした雪質でもオーガから送られてくる雪を収束させ、ブロアを高速回転させても雪が飛散しないよう投雪性能を向上させた除雪機を提供することを目的とするものである。
【０００６】
【課題を解決するための手段】
前記した課題を解決するため、機体前部にオーガを備えたオーガハウジングと、オーガ後方に基板と複数の羽根から形成されたブロアがブロアハウジング内に配置され、このブロアハウジングの一側部より上方に向け投雪シュートを備え、前記オーガより掻き集められた雪をブロアの回転により投雪シュートを介して投雪する除雪機において、ブロアに備えた羽根を回転方向に対し後退角を有するとともに基部から外方に向け円弧状の凹部を具備したことにより、オーガから送られてくる雪を円滑に投雪シュートに送り込むことが可能となる。さらに、比較的サラサラした雪質に対しても湾曲部で収束させることができるので、ブロアを高速回転させても雪が飛散することが無く投雪性も向上する。
【０００７】
【発明の実施の形態】
以下、本発明の実施の形態を図面に基づいて説明する。図１は本発明を実施した除雪機の側面図、図２は同除雪機の正面詳細図である。
【０００８】
図１において、１はメインフレームを示し、前方に除雪部２を連結し、上部にエンジン３を搭載し、後方には操作部４を配設してなる。５は走行部でクローラ５１をメインフレーム１の下部に装備してなる。
【０００９】
除雪部２は、オーガ２１と、オーガ２１を回転可能に軸支するオーガハウジング２２と、側面視オーガ２１の後方に配置されたブロア２３と、ブロア２３の外周を覆うブロアハウジング２４が連続して設けられている。２５は駆動軸で前記オーガハウジング２２とブロアハウジング２４の内部に前後方向に設けられ、略中央部にブロア２３が連結され前方端部には、減速機２６が設けられ左右に突設した出力軸２６ａを有しオーガ２１と連結されている。
【００１０】
２７の投雪シュートは、ブロア２３から放出される雪を外方へ案内するものでブロアハウジング２４の一側部より上方に向け設けられている。投雪シュート２７は、水平方向に回動自在とするとともに、上方端部には前後方向に回動可能とした案内板２７ａが設けられ、水平回動することにより投雪方向を変えることができ、案内板２７ａを前後に回動することにより投雪距離を変化させることができる。
【００１１】
操作部４はハンドル４１と操作レバー４２から構成される。ハンドル４１はメインフレーム１の後方に直結され、操作レバー４２は走行部５及び除雪部２の制御操作を行うものである。
【００１２】
除雪部２の駆動伝達は、エンジン３の一側部に突設するエンジン出力軸３１から出力される回転動力がエンジン出力軸３１の端部に設けられるプーリ３２ａからベルト３２ｂを介し、前記駆動軸２５の後方端部に設けられるプーリ３２ｃへ動力伝達され、駆動軸２５に設けられるブロア２３を回転駆動するとともに前方端部に設けられる減速機２６を介し、オーガ２１を回転駆動する。
【００１３】
図２において２４はブロアハウジングを示し、ブロア２３の外周を覆う円筒形状で一側部により上方に備えた投雪シュート２７へ通じる略円状の投雪筒２３ａを有し、開口端部に投雪シュート２７が水平回動自在に設けられている。
【００１４】
ブロア２３は三角形状をした基板２３ａに羽根２３ｂがオーガ２１方向に向け複数枚固定されており、この羽根２３ｂは回転中心となる駆動軸２５の軸心Ｏと羽根２３ｂの先端とを結ぶ直線ａに対しθ°位相させ、すなわち回転方向に対し後退角を有するようボス２３ｃの外周部を基部とし外方へ向け設けられる。
【００１５】
そして、さらに羽根２３ｂには回転方向に対し基部から外方に向け円弧状の凹部を設けてあり、オーガ２１より掻き集められた雪を円弧状凹部がブロアハウジング２４内へ円滑に掻き込むことができ、掻き込まれた雪は円弧状凹部の底面頂点で一旦収束されてから放出口２４ａに放出されるので、比較的サラサラした雪質に対して収束性を持たせることができる。
【００１６】
【発明の効果】
以上のように構成することにより、ブロアに設けた羽根の円弧状凹部がブロアハウジング内に雪を円滑に掻き込むことができ、比較的サラサラした雪質に対しても羽根の円弧状凹部が雪を一旦収束させてから放出し、投雪シュートを介し投雪するので雪が飛散することがなく投雪性能を向上させることができた。
【図面の簡単な説明】
【図１】本発明を実施した除雪機の側面図
【図２】同除雪機の正面詳細図
【符号の説明】
１      メインフレーム
２      除雪部
２１    オーガ
２２    オーガハウジング
２３    ブロア
２３ａ  基板
２３ｂ  羽根
２３ｃ  ボス
２４    ブロアハウジング
２４ａ  放出口
２５    駆動軸
２６    減速機
２６ａ  出力軸
２７    投雪シュート
２７ａ  案内板
３      エンジン
３１    エンジン出力軸
３２ａ，３２ｃ    プーリ
３２ｂ    ベルト
４      操作部
４１    ハンドル
４２    操作レバー
５      操作部
５１    クローラ
【図１】
2004238870.tif 000003
【図２】
2004238870.tif 000004